(57)【要約】【課題】  作業中に又は外出中に、手袋を暫時でも外した時に、落としたり置き場所がなかったり、紛失することが多い。従来の手袋止めでは、着脱容易性や手袋の紛失防止の点で問題があった。【解決手段】  手袋係止具付腕輪を提供することにより課題を解決する。腕輪の本体部分は、伸縮性の輪状バンド（１）より成り、その所定部分から紐（２）が延設され、紐の他端部に手袋を係止する為の係止具（３）を設けた。輪状バンドを手首に装着することにより手袋の着脱が容易で、又装身にもなる。利き手の手袋の紛失防止と手首の装身を特徴とする手袋係止具付の腕輪である。【選択図】  図１
2011226041.tif 000002
【特許請求の範囲】
【請求項１】
手首にはめて使用する伸縮性のある環状腕輪と、この腕輪から延設した紐と、その先端部に取り付けた手袋係止具とより構成したことを特徴とする手袋係止具付腕輪。
【請求項２】
前記環状腕輪がビーズや小球体の穴にゴム紐を通し作ったもの、または伸縮織のバンドであることを特徴とする請求項１記載の手袋係止具付腕輪。
【請求項３】
前記環状腕輪が、発光性のものであることを特徴とする請求項１又は２に記載の手係止具付腕輪。
【発明の詳細な説明】
【技術分野】
【０００１】
本発明は、手袋の着脱を容易にし、かつその紛失を防止することができる手袋係止具付腕輪に関するものである。
【背景技術】
【０００２】
手袋の着脱を容易にし、或いはその紛失を防止するためには、従来から種々の工夫がなされている。例えば、両手袋を紐で結び肩から吊したり、手袋にクリップを取り付け衣服の袖先などに係止するようにしていた（例：登録実用新案第3066343号）。一方、手首の装身の為の腕輪（ブレスレット）等は、専ら美的要素を付与し機能的なものは少なかった。
【先行技術文献】
【特許文献】
【０００３】
【特許文献１】特開平１１−２０９号公報
【発明の開示】
【発明が解決しようとする課題】
【０００４】
しかし、従来の肩から吊るすものには、次のような問題点があった。
（１）両手袋を紐で止め肩から下げると、紐が首に巻きついたり、肩からずり落ち、紛失することが多かった。
（２）危険なこともあり、またわずらわしさもある。最近では小さな子供用にはまだ残っているものの、成人用には殆ど見かけられない。
（３）手袋にクリップを取り付けるものは、手袋一つ一つにクリップの取り付けが煩わしかった。
本発明は、これらの問題点を解決するためになされたものである。
【課題を解決するための手段】
【０００５】
本発明が提供する手袋係止具付腕輪は、上記の課題を解決したもので、次の（１）及び（２）に記載したものである。
（１）手首にはめて使用する伸縮性のある環状腕輪と、この腕輪から延設した紐と、その先端部に取り付けた手袋係止具とより構成した手袋係止具付腕輪。
（２）（１）に記載の環状腕輪がビーズや小球体の穴にゴム紐を通し作ったもの、または伸縮織のバンド、または発光性のものである手袋係止具付腕輪。
【発明の効果】
【０００６】
本発明の、手袋係止具付腕輪は手首に装着することによってその着脱が容易で、また手首部の装飾にもなる。作業中に又は外出中に手袋をちょっと外した時に落としたり置き場所がなかったりする事が多いのでその紛失を防止するために、手袋を係止具でとめておくことができる。
手袋を外した時は手首にぶら下がる状態になるので紛失せず、置き場所にも困らない。腕輪は伸縮性のある輪なので両手袋をまとめておくことができる。
また、腕輪は、発光性があるので、夜間の散歩、自転車やバイクなどの二輪車に乗った時、他の通行人の視認が容易になり、交通安全上有用だある。
【発明を実施するための形態】
【０００７】
以下、本発明を実施するための最良の形態を、実施例により説明する。
本実施例の手袋係止具付腕輪は、図１と図２に示すように、本体部分が伸縮性の輪状バンド（１）よりなり、その本体部分から紐（くさり）（２）が延設され、その先端部に手袋を係止する為の係止具（クリップ）（３）が取り付けけられている。伸縮性の輪状バンド（１）には、ゴム紐をビーズや小球体の孔に挿通して作った飾り紐、若しくは表面に装飾が施された伸縮性のバンドが使用される。
上記輪状バンド（１）と紐（２）と係止具（３）のうち、少なくとも輪状バンド（１）には、発光性の材料を使用することができる。輪状バンド（１）と紐（２）と係止具（３）のいずれかが発光すれば、夜間の散歩、自転車やバイクなどの二輪車に乗ったとき、他の通行人の視認が容易になり、交通安全上有用である。
【図面の簡単な説明】
【０００８】
【図１】実施例の手袋係止具付腕輪の斜視図
【図２】実施例の手袋係止具付腕輪の使用状態を示す図
【符号の説明】
【０００９】
１  伸縮性の輪状バンド
２  紐（くさり）
３  係止具
４  手袋
【図１】
2011226041.tif 000003
【図２】
2011226041.tif 000004
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
利き手の手首にはめて使用する伸縮性のある輪状バンドと、このバンドから延設した紐と、その先端部に取り付けた手袋の内側の縁を係止する手袋係止具とより構成した利き手の手袋係止具付手首バンド。
【請求項２】
前記輪状バンドが、ビーズや小球体の穴にゴム紐を通し作ったもの、または伸縮織のバンドであることを特徴とする請求項１記載の利き手の手袋係止具付手首バンド。
【請求項３】
前記輪状バンドが、発光性のものであることを特徴とする請求項１又は２に記載の利き手の手袋係止具付手首バンド。
【手続補正２】
【補正対象書類名】明細書
【補正対象項目名】全文
【補正方法】変更
【補正の内容】
【発明の詳細な説明】
【技術分野】
【０００１】  本発明は、利き手の手袋の着脱を容易にし、かつその紛失を防止することができる利き手の手袋係止具付手首バンドに関するものである。
【背景技術】
【０００２】  手袋の着脱を容易にし、或いはその紛失を防止するためには、従来から種々の工夫がなされている。例えば、両手袋を紐で結び肩から吊したり、手袋にクリップを取り付け衣服の袖先などに係止するようにしていた（例：登録実用新案第３０６６３４３号）。一方、手首の装身の為の腕輪（ブレスレット）等は、専ら美的要素を付与し機能的なものは少なかった（特開平１１−２０９号）。
【発明の開示】
【発明が解決しようとする課題】
【０００３】  しかし、従来の肩から吊るすものには、次のような問題点があった。
（１）両手袋を紐で止め肩から下げると、紐が首に巻きついたり、肩からずり落ち、紛失することが多かった。
（２）危険なこともあり、またわずらわしさもある。最近では小さな子供用にはまだ残っているものの、成人用には殆ど見かけられない。
（３）手袋にクリップを取り付けるものは、手袋一つ一つにクリップの取り付けが煩わしかった。
本発明は、これらの問題点を解決するためになされたものである。
【課題を解決するための手段】
【０００４】  本発明が提供する利き手の手袋係止具付手首バンドは、上記の課題を解決したもので、次の（１）及び（２）に記載したものである。
（１）利き手の手首にはめて使用する伸縮性のある輪状バンドと、このバンドから延設した紐と、その先端部に取り付けた手袋係止具とより構成した利き手の手袋係止具付手首バンド。
（２）（１）に記載の輪状バンドが、ビーズや小球体の穴にゴム紐を通し作ったもの、または伸縮織の手首バンド、または発光性のものである利き手の手袋係止具付手首バンド。
【発明の効果】
【０００５】  本発明の、利き手の手袋係止具付手首バンドは利き手の手首に装着することによってその着脱が容易で、また手首部の装飾にもなる。作業中に又は外出中に携帯電話をかける時やスーパーのレジで金銭の支払いの時など手袋をちょっと外した時に落としたり置き場所がなかったりする事が多いのでその紛失を防止するために、手袋を係止具でとめておくことができる。
手袋を外した時は手首にぶら下がる状態になるので紛失せず、置き場所にも困らない。手首バンドは伸縮性のある輪なので両手袋をまとめておくことができる。
【発明を実施するための形態】
【０００６】  以下、本発明を実施するための最良の形態を、実施例により説明する。
本実施例の利き手の手袋係止具付手首バンドは、図１と図２に示すように、本体部分が伸縮性の輪状バンド１よりなり、その本体部分から紐（くさり）２が延設され、その先端部に手袋を係止する為の係止具（クリップ）３が取り付けけられている。
図２は、本実施例の利き手の手袋係止具付手首バンドの使用状態を示す図である。
伸縮性輪状バンド１の係止具３で利き手の手袋４の内側の縁を係止し伸縮性輪状バンド１を利き手の手首にはめる。ちょっと手袋を外す時は利き手の手袋のみ外す。そうすると、手首に手袋がぶら下がるようになるので紛失せず着脱が容易である。両手袋を外した時はこれらを伸縮性輪状バンド１でまとめるとよい
伸縮性の輪状バンド１には、ゴム紐をビーズや小球体の孔に挿通して作った飾り紐、若しくは表面に装飾が施された伸縮性のバンドが使用される。
【０００７】  上記輪状バンド１と紐２と係止具３のうち、少なくとも輪状バン１には、発光性の材料を使用することができる。輪状バンド１と紐２と係止具３のいずれかが発光すれば、夜間の散歩、自転車やバイクなどの二輪車に乗ったとき、他の通行人の視認が容易になり、交通安全上有用である。
【図面の簡単な説明】
【０００８】
【図１】実施例の利き手の手袋係止具付手首バンドの斜視図
【図２】実施例の利き手の手袋係止具付手首バンドの使用状態を示す図
【符号の説明】
【０００９】  １  伸縮性の輪状バンド
２  紐（くさり）
３  係止具
４  手袋